(57)【要約】      （修正有）【課題】システムの効率を改善するように、モバイル装置内のモビリティ管理層を管理する方法を提供する。【解決手段】モバイル装置のモビリティ管理層が待ち状態に移行した後に、タイマーＴ３２４０が起動される（２２０）。モバイル装置は、タイマーＴ３２４０が時間切れとなる前は、ネットワーク・システムからの更なる指令を待ち続け、タイマーＴ３２４０が時間切れとなった場合（２３０）には、モビリティ管理層を制御して、待ち状態から抜け出させる（２６０）ように構成され、それによって、システムの効率が改善される。【選択図】図２
2013085243.tif 000002
【特許請求の範囲】
【請求項１】
モバイル装置におけるモビリティ管理層を管理する方法であって、
前記モビリティ管理層が待ち状態に移行した後に、タイマーを起動するステップ；および、
前記タイマーが時間切れになる前にネットワークから受信したコマンドに従って前記モビリティ管理層は前記待ち状態を抜け出るか、または、前記タイマーが時間切れになった後に、前記モビリティ管理層は前記待ち状態を抜け出るステップ、
を含むことを特徴とする、方法。
【請求項２】
前記タイマーが時間切れとなっていないならば、前記待ち状態から抜け出る契機となる前記コマンドが前記ネットワークから受信されたか否かを判定するステップ；および、
前記コマンドが受信されたならば、前記モビリティ管理層が、前記待ち状態を抜け出て、前記コマンドに対応した特定の処理動作を実行するステップ、
をさらに備えることを特徴とする、請求項１記載の方法。
【請求項３】
前記特定の処理動作は、ＲＲコネクションの解放動作、ＭＭコネクションの指示動作、ＭＳ非アクティブ化およびアタッチ許可動作、またはＲＲコネクション解放不許可動作を含むことを特徴とする、請求項２記載の方法。
【請求項４】
待ち期間が所定の長さを超えていなければ、前記コマンドを受信した場合に、前記モバイル装置は、前記特定の処理動作を実行し、
前記モビリティ管理層は、３ＧＰＰの標準仕様書において定義される状態であって、“ロケーション更新動作が開始された状態”である状態３、“MMコネクションがアクティブ化された状態”である状態６、“国際移動加入者局識別子（IMSI（International  Mobile  Subscriber  Identity））の切り離し動作がアクティブ化された状態”である状態７、“ネットワーク・コマンドを待っている状態”である状態９、“MMのアイドル状態”である状態１９、および“RRコネクションの解放が不許可とされる状態”である状態に移行する、
ことを特徴とする、請求項３記載の方法。
【請求項５】
前記タイマーは３ＧＰＰの標準仕様書において定義される、タイマーＴ３２４０であることを特徴とする、請求項１記載の方法。
【請求項６】
前記待ち状態は、３ＧＰＰの標準仕様書において定義される“ネットワーク・コマンドを待っている状態”である状態９であることを特徴とする、請求項１記載の方法。
【請求項７】
前記タイマーが時間切れとなった時に、前記モビリティ管理層が前記待ち状態を抜け出し、ＲＲコネクションを解放するステップをさらに含むことを特徴とする、請求項６記載の方法。
【請求項８】
前記ＲＲコネクションを前記解放した後に、前記モビリティ管理層が３ＧＰＰの標準仕様書で定義される“MMアイドル状態”である状態１９および“RRコネクションの解放が不許可とされる状態”である状態２５に移行するステップをさらに含むことを特徴とする、請求項７記載の方法。
【発明の詳細な説明】
【技術分野】
【０００１】
本発明はモバイル装置のモビリティ管理層を管理する方法に関し、より具体的には、本願の請求項１の特徴的構成に従って、システムの効率を改善するように、モバイル装置のモビリティ管理層を管理する方法に関する。
【背景技術】
【０００２】
第３世代パートナーシップ・プロジェクト（3GPP（3rd  Generation  Partnership  Project））が提唱するモバイル通信構造に従うならば、モバイル装置の無線インターフェース・プロトコル構造は、物理層、データリンク層、ネットワーク層の３つの層を含んでいる。データリンク層は、パケット・データ・コンバージェンス・プロトコル（PDCP（Packet  Data  Convergence  Protocol））層、無線リンク制御（RLC（Radio  Link  Control））層、媒体アクセス制御（MAC（Media  Access  Control））層を含んでいる。ネットワーク層は、無線リソース制御（RRC（Radio  Resource  Control））層、モビリティ管理（MM（Mobility  Management））層およびコネクション管理（CM（Connection  Management））層を含んでいる。
【０００３】
RLC層は、以下を含むサービスを提供するように構成される。例えば、PDU（Protocol  Data  Unit）の伝送、自動再送要求（ARQ（Automatic  Retransmission  Request））の訂正、結合、SDU（Service  Data  Unit）のセグメンテーション／再組み立て／削除、逐次的なPDUの伝送、重複した削除、プロトコル・エラーの検出およびプロトコルの再確立などを含む。
【０００４】
MAC層は、ハイブリッド自動再送要求（HARQ（Hybrid  Automatic  Repeat  Request））誤り訂正、および伝送時間区間（TTI（Transmission  Time  Interval））集約伝送を含むサービスを提供するように構成される。
【０００５】
CM層は、以下の機能を提供するように構成される。例えば、コネクションの確立動作、コネクションのタイプ（音声か、またはファクシミリか）の選択動作およびコネクションの解放動作を含む呼制御、補充的サービスを管理する機能、およびショート・メッセージ・サービス（SMS（Short  Message  Service））機能などである。
【０００６】
RRC層は、コネクションの維持管理、通信チャネルの確立／解放、および電力制御の管理を実行するように構成される。
【０００７】
MM層は、ユーザの検証、信号の符号化、およびモバイル装置の現在位置をネットワークに対して通知可能とするようなモビリティに関係するあらゆる機能を扱う。
【０００８】
現在の３ＧＰＰ標準仕様書によれば、「状態９」に移行した後は、MM層はネットワーク内の通信相手エンティティとの間に無線リソース・コネクションを有するが、MMコネクションは確立されていない。モバイル装置は、ネットワークからの更なるコマンドを待って受け身のままでいる。従来技術においては、ネットワークが何らかの理由により、応答することに失敗した場合、モバイル装置のMM層は、「状態９」に滞留し続け、その結果、その他のサービスを提供することが不可能になってしまう。
【発明の概要】
【０００９】
以上を考慮した上で、本発明は、システムの効率を改善するように、モバイル装置内のモビリティ管理層を管理する方法を提供することを目的とする。
【００１０】
これは、請求項１で規定されるようなモバイル装置内でのモビリティ管理層の管理方法によって実現される。従属請求項記載の発明は、更なる追加の拡張機能と改良機能に関係する。
【００１１】
以下の「発明を実施するための形態」の欄における説明からより明確に理解されるとおり、モバイル装置内でのモビリティ管理層の管理方法に関して本願において特許請求される方法は、モビリティ管理層が持ち状態に移行した後に、モバイル装置のタイマーを起動する動作と、タイマーが時間切れになる前にネットワークから受信したコマンドに従って上記モビリティ管理層は上記待ち状態を抜け出るか、または、タイマーが時間切れになった後に、上記モビリティ管理層は上記待ち状態を抜け出る動作とを含む。
【図面の簡単な説明】
【００１２】
【図１】本発明に従い、モバイル装置内でのMM層の動作を図示する状態遷移図
【図２】本発明に従い、モバイル装置内でのMM層の動作の方法を示すフローチャート
【発明を実施するための形態】
【００１３】
本明細書に添付された図面を参照しながら、本発明の内容は、具体例を示す方法により、以下においてさらに詳細に後述される。
【００１４】
図１は、本発明に従い、モバイル装置内でのMM層の動作を図示する状態遷移図である。図１は、「状態３“位置更新動作の開始”」、「状態６“MMコネクションがアクティブ化された状態”」、「状態７“国際移動加入者局識別子（IMSI（International  Mobile  Subscriber  Identity））の切り離し動作がアクティブ化された状態”」、「状態９“ネットワーク・コマンドを待っている状態”」、「状態１９“MMのアイドル状態”」および「状態２５“RRコネクションの解放が不許可とされた状態”」を示している。本発明は、「状態９」に関する動作と関係するので、図１においては、関わりの有る状態だけを図示している。MM層におけるその他の発生し得る状態は、３ＧＰＰの関連する標準仕様書（例えば、TS  24.008など）において記述され、説明されている。
【００１５】
図２は、本発明に従い、モバイル装置内でのMM層の動作の方法を示すフローチャートである。この方法は、以下の動作ステップを含む。
ステップ２１０：  MM層が待ち状態にあるか否かを判定し、もしもＹＥＳなら、ステップ２２０に進み、ＮＯであれば２１０に留まる。
ステップ２２０：  モバイル装置のタイマーＴ３２４０を起動し、ステップ２３０に進む。
ステップ２３０：  タイマーＴ３２４０が時間切れになったか否かを判定し、もしもＹＥＳなら、ステップ２６０に進み、ＮＯであれば、ステップ２４０に進む。
ステップ２４０：  待ち状態から抜け出る契機となる特定のコマンドがネットワークから受信されたか否かを判定し、もしもＹＥＳなら、ステップ２５０に進み、ＮＯであれば、ステップ２３０に戻る。
ステップ２５０：  待ち状態から抜け出て、上記特定のコマンドに対応する第１の処理動作を実行し、ステップ２７０に進む。
ステップ２６０：  待ち状態から抜け出て、第２の処理動作を実行する。
ステップ２７０：  タイマーＴ３２４０をリセットしてステップ２１０に戻る。
【００１６】
ステップ２１０においては、待ち状態は、３ＧＰＰの関連する標準仕様書（例えば、TS  24.008など）において定義される「状態９」とすることが可能である。「状態９」においては、MM層は、ネットワーク内でのその通信相手のエンティティとの間にRRコネクションを有しているが、MMコネクションは全く確立されていない。モバイル装置は、ネットワークからの更なるコマンドの到着を待って、受け身のままでいる。図１に示した実施形態においては、図中のA1〜A4で示す処理動作をモバイル装置が実行した後に、MM層は「状態９」に移行することが可能である。処理動作A1は、ページング動作に応答して「RRコネクションが確立される」動作である。処理動作A2は、「最後に残ったコネクションが解放される」動作である。処理動作A3は「システム情報を記憶する」動作である。処理動作A4は、「RRコネクションの解放を不許可とする」動作である。ステップ２１０において、MM層が待ち状態（例えば「状態９」など）に移行したと判定された場合、モバイル装置のタイマーＴ３２４０を起動するために、ステップ２２０が実行され、続いて、タイマーＴ３２４０が時間切れとなったか否かを判定するために、ステップ２３０が実行される。
【００１７】
本発明のステップ２２０においては、モバイル装置が以下の何れかの事象を契機として待ち状態に移行した後に、タイマーＴ３２４０が開始される。
（１）  モバイル装置がロケーション更新受諾メッセージを受信し、ロケーション更新手順が完結した時。
（２）  モバイル装置がロケーション更新拒絶メッセージを受信した時。
（３）  モバイル装置がＣＭサービス・アボート・メッセージを送信した時。
（４）  モバイル装置が全てのMMコネクションを解放もしくはアボートした時。
（５）  ネットワークからページング・メッセージを受信した後に、モバイル装置が待ち状態に移行した時。
【００１８】
ステップ２３０において、タイマーＴ３２４０が時間切れになっていないと判定された場合、待ち状態から抜け出る契機となる特定のコマンドがネットワークから受信されたか否かを判定するために、ステップ２４０が実行される。上記特定のコマンドを受信した際、待ち状態から抜け出して、上記特定のコマンドに対応する第１の処理動作を実行するために、ステップ２５０が実行される。図１に示す実施形態においては、上記第１の処理動作は、図中のB1〜B4で示される処理動作とすることが可能である。処理動作B1は、ネットワーク・コマンドに従って「RRコネクションを解放する」動作である。処理動作B2は、第１のメッセージを受信した後に、「MMコネクションを指示する」動作である。処理動作B3は、「移動局（ＭＳ）が非アクティブ化され、アタッチが許可される」動作である。処理動作B4は、「RRコネクションの解放を不許可とする」動作である。
【００１９】
ステップ２３０において、タイマーＴ３２４０が時間切れになったと判定された場合、待ち状態から抜け出て、第２の処理動作を実行するために、ステップ２６０が実行される。図１に示す実施形態においては、上記第２の処理動作は、図中のB5で示され、タイマーＴ３２４０が時間切れになった際の「RRコネクションの解放」動作とすることが可能である。上記第２の処理動作を実行した後は、モバイル装置は、「状態１９“MMアイドル状態”」に移行することが可能である。
【００２０】
図１に示す実施形態においては、モバイル装置のMM層は、待ち状態から抜け出た後に、上記特定の処理動作に対応する特定の状態に移行することが可能である。例えば、「状態９」を抜け出た後に、モバイル装置は、処理動作B1を実行して状態１９に移行することが可能であり、同様に、処理動作B2を実行して「状態６」に移行する、処理動作B3を実行して「状態７」に移行する、処理動作B4を実行して「状態２５」に移行する、あるいは、処理動作B5を実行して「状態１９」に移行することが可能である。ステップ２５０またはステップ２６０においてMM層が待ち状態から抜け出た後に、ループ処理の開始点であるステップ２１０へと戻る前に、タイマーＴ３２４０をリセットするために、ステップ２７０が続いて実行される。
【００２１】
本発明の一実施形態においては、ネットワークからページング・メッセージを受信した後に、モバイル装置が「状態９“ネットワーク・コマンドを待っている状態”」に移行した場合、タイマーＴ３２４０が開始される。タイマーＴ３２４０が時間切れになった場合、モバイル装置は、RRコネクションをアボートして「状態１９“MMのアイドル状態”」に移行するように構成される。
【００２２】
本発明においては、待ち状態に移行した後のモビリティ管理層の待ち期間が時間切れとなる前においては、モバイル装置は、ネットワークからの更なる指令を受け身的に待ち続けるように構成される。待ち状態に移行した後のモビリティ管理層の待ち期間が時間切れとなった後は、モバイル装置は、MM層を制御して待ち状態から抜け出すように構成される。もしも、ネットワークが何らかの理由で応答することに失敗した場合、モバイル装置のMM層は、他のサービス機能を提供するために待ち状態から抜け出ることが可能であり、それによって、システムの効率を改善する。
【図１】
2013085243.tif 000003
【図２】
2013085243.tif 000004